(57)【特許請求の範囲】
【請求項１】
電池を駆動源とする印刷をプロセッサが制御するとともに、電源オフ状態にある場合に電源キーが操作されても前記駆動源の電圧値が所定値未満のときには前記プロセッサが前記電源オフ状態を維持する印刷装置において、
前記プロセッサは電源オン状態にある場合に前記電源キーが操作されたときは、
（１）前記駆動源の電圧値が前記所定値以上にある場合に前記電源オフ状態に移行させ、（２）前記駆動源の電圧値が前記所定値未満であれば、ディスプレイの表示をオフさせるとともに前記電源キー以外の操作キーをロックさせる一方、
前記プロセッサは、前記ディスプレイの表示がオフされるとともに前記電源キー以外の前記操作キーがロックされた以降は、
（Ａ）前記駆動源の電圧値が前記所定値以上に回復していれば前記電源オフ状態に移行させ、
（Ｂ）前記駆動源の電圧値が前記所定値未満であり、且つ、前記電源キーが操作されたときは、前記ディスプレイの表示をオンさせるとともに前記操作キーのロックを解除すること、を特徴とする印刷装置。
【請求項２】
請求項１に記載する印刷装置であって、
前記プロセッサは電源オン状態にある場合に前記電源キーが操作されたとき、
印刷直後から所定時間が経過していれば前記電源オフ状態に移行させること、を特徴とする印刷装置。
【請求項３】
電池を駆動源とする印刷をプロセッサが制御するとともに、電源オフ状態にある場合に電源キーが操作されても前記駆動源の電圧値が所定値未満のときには前記プロセッサが前記電源オフ状態を維持する印刷装置において、
前記プロセッサは電源オン状態にある場合に前記電源キーが操作されたときは、
ディスプレイの表示をオフさせるとともに前記電源キー以外の操作キーをロックさせた後、
（Ａ）前記駆動源の電圧値が前記所定値以上に回復していれば前記電源オフ状態に移行させ、
（Ｂ）前記駆動源の電圧値が前記所定値未満であり、且つ、前記電源キーが操作されたときは、前記ディスプレイの表示をオンさせるとともに前記操作キーのロックを解除すること、を特徴とする印刷装置。
【請求項４】
請求項３に記載する印刷装置であって、
前記プロセッサは、電源オン状態にある場合に前記電源キーが操作されて前記ディスプレイの表示がオフされるとともに前記電源キー以外の前記操作キーがロックされた以降に、
前記駆動源の電圧値が前記所定値未満であるときでも印刷直後から所定時間が経過していれば前記電源オフ状態に移行させること、を特徴とする印刷装置。
【請求項５】
請求項１乃至請求項４のいずれか一つに記載する印刷装置であって、
前記所定値は、前記駆動源である電池の逆装填での使用を検出するための電圧値であること、を特徴とする印刷装置。
【請求項６】
請求項１乃至請求項４のいずれか一つに記載する印刷装置であって、
前記所定値は、前記駆動源である電池による正常な印刷品質を確保するための電圧値であること、を特徴とする印刷装置。
【請求項７】
請求項１乃至請求項６のいずれか一つに記載する印刷装置であって、
前記駆動源である電池がニッケル水素充電池であること、を特徴とする印刷装置。
【発明の詳細な説明】
【技術分野】
【０００１】
本発明は、電池を駆動源とする印刷装置に関するものである。
【背景技術】
【０００２】
従来より、電池を駆動源とする印刷装置では、印刷中に電池の電圧は降下していくが、電池に負荷がかからない状態、例えば印刷を行っていない状態が続けば、時間の経過と共に電池の電圧は自然に回復していくことが知られている（下記特許文献１参照）。
【先行技術文献】
【特許文献】
【０００３】
【特許文献１】特開２０００−１１１６２４号公報
【発明の概要】
【発明が解決しようとする課題】
【０００４】
しかしながら、駆動源である電池の種類によっては、電池の電圧が自然に回復するのに長時間を要するものがある。そのような電池を駆動源として使用している場合には、連続印刷の直後など電池の電圧が相当に降下しているときに電源オフ状態にすると、例えばその直後に電源キーを押下しても、電池の電圧が十分に回復していないために電源オンできないと判断され、電源オン状態にならないことがあった。その場合、使用者はまだ使用可能な電池を廃棄してしまったり、電池の交換頻度が上がって煩わしさを感じたり、電池が充電電池であれば無駄な充電をすることになったり、充電可能な回数に早めに達してしまい充電電池が使えなくなってしまったりといった結果を引き起こす。
【０００５】
そこで、本発明は、上述した点を鑑みてなされたものであり、駆動源である電池の電圧が相当に降下しているときに電源オフ状態にしても、すぐに電源オン状態にすることができる印刷装置を提供することを課題とする。
【課題を解決するための手段】
【０００６】
この課題を解決するためになされた請求項１に係る発明は、電池を駆動源とする印刷をプロセッサが制御するとともに、電源オフ状態にある場合に電源キーが操作されても前記駆動源の電圧値が所定値未満のときには前記プロセッサが前記電源オフ状態を維持する印刷装置において、前記プロセッサは電源オン状態にある場合に前記電源キーが操作されたときは、（１）前記駆動源の電圧値が前記所定値以上にある場合に前記電源オフ状態に移行させ、（２）前記駆動源の電圧値が前記所定値未満であれば、ディスプレイの表示をオフさせるとともに前記電源キー以外の操作キーをロックさせる一方、前記プロセッサは、前記ディスプレイの表示がオフされるとともに前記電源キー以外の前記操作キーがロックされた以降は、（Ａ）前記駆動源の電圧値が前記所定値以上に回復していれば前記電源オフ状態に移行させ、（Ｂ）前記駆動源の電圧値が前記所定値未満であり、且つ、前記電源キーが操作されたときは、前記ディスプレイの表示をオンさせるとともに前記操作キーのロックを解除すること、を特徴とする。
【０００７】
また、請求項２に係る発明は、請求項１に記載する印刷装置であって、前記プロセッサは電源オン状態にある場合に前記電源キーが操作されたとき、印刷直後から所定時間が経過していれば前記電源オフ状態に移行させること、を特徴とする。
【０００８】
また、請求項３に係る発明は、電池を駆動源とする印刷をプロセッサが制御するとともに、電源オフ状態にある場合に電源キーが操作されても前記駆動源の電圧値が所定値未満のときには前記プロセッサが前記電源オフ状態を維持する印刷装置において、前記プロセッサは電源オン状態にある場合に前記電源キーが操作されたときは、ディスプレイの表示をオフさせるとともに前記電源キー以外の操作キーをロックさせた後、（Ａ）前記駆動源の電圧値が前記所定値以上に回復していれば前記電源オフ状態に移行させ、（Ｂ）前記駆動源の電圧値が前記所定値未満であり、且つ、前記電源キーが操作されたときは、前記ディスプレイの表示をオンさせるとともに前記操作キーのロックを解除すること、を特徴とする。
【０００９】
また、請求項４に係る発明は、請求項３に記載する印刷装置であって、前記プロセッサは、電源オン状態にある場合に前記電源キーが操作されて前記ディスプレイの表示がオフされるとともに前記電源キー以外の前記操作キーがロックされた以降に、前記駆動源の電圧値が前記所定値未満であるときでも印刷直後から所定時間が経過していれば前記電源オフ状態に移行させること、を特徴とする。
【００１０】
また、請求項５に係る発明は、請求項１乃至請求項４のいずれか一つに記載する印刷装置であって、前記所定値は、前記駆動源である電池の逆装填での使用を検出するための電圧値であること、を特徴とする。
【００１１】
また、請求項６に係る発明は、請求項１乃至請求項４のいずれか一つに記載する印刷装置であって、前記所定値は、前記駆動源である電池による正常な印刷品質を確保するための電圧値であること、を特徴とする。
【００１２】
また、請求項７に係る発明は、請求項１乃至請求項６のいずれか一つに記載する印刷装置であって、前記駆動源である電池がニッケル水素充電池であること、を特徴とする。
【発明の効果】
【００１３】
すなわち、本発明の印刷装置は、電池を駆動源とする印刷をプロセッサが制御するとともに、電源オフ状態にある場合に電源キーが操作されても駆動源の電圧値が所定値未満のときにはプロセッサが電源オフ状態を維持するものである。もっとも、プロセッサは電源オン状態にある場合に電源キーが操作されたときは、（１）駆動源の電圧値が所定値以上にある場合に電源オフ状態に移行させ、（２）駆動源の電圧値が所定値未満であれば、ディスプレイの表示をオフさせるとともに電源キー以外の操作キーをロックさせる。その一方で、プロセッサは、ディスプレイの表示がオフされるとともに電源キー以外の操作キーがロックされた以降は、（Ａ）駆動源の電圧値が所定値以上に回復していれば電源オフ状態に移行させ、（Ｂ）駆動源の電圧値が所定値未満であり、且つ、電源キーが操作されたときは、ディスプレイの表示をオンさせるとともに操作キーのロックを解除する。
【００１４】
つまり、本発明の印刷装置では、電源オン状態にある場合に電源キーが操作されたときに、（２）駆動源の電圧値が所定値未満であれば、ディスプレイの表示がオフされるとともに電源キー以外の操作キーがロックされて、外見上の電源オフ状態にあるが、その後において、（Ｂ）駆動源の電圧値が所定値未満であり、且つ、電源キーが操作されたときは、ディスプレイの表示がオンされるとともに操作キーのロックが解除されて、外見上の電源オフ状態から電源オン状態になる。従って、本発明の印刷装置では、駆動源である電池の電圧が相当に降下しているときに（外見上の）電源オフ状態になっても、電源キーが操作されたときは、すぐに電源オン状態にすることができる。
【００１５】
また、本発明の印刷装置では、プロセッサは、電源オン状態にある場合に電源キーが操作されたとき、印刷直後から所定時間が経過していれば電源オフ状態に移行させる。もっとも、印刷直後から所定時間が経過していることから、駆動源の電圧値は所定値付近にまで回復していることが見込まれる。従って、本発明の印刷装置では、駆動源である電池の電圧がいかなる値であっても印刷直後から所定時間が経過してさえいれば電源オフ状態に移行し、電源キーが操作されたときは、すぐに電源オン状態にすることができる。
【００１６】
また、本発明の印刷装置では、プロセッサは、電源オン状態にある場合に電源キーが操作されてディスプレイの表示がオフされるとともに電源キー以外の操作キーがロックされた以降に、駆動源の電圧値が所定値未満であるときでも印刷直後から所定時間が経過していれば電源オフ状態に移行させる。もっとも、印刷直後から所定時間が経過していることから、駆動源の電圧値は所定値付近にまで回復していることが見込まれる。従って、本発明の印刷装置では、駆動源である電池の電圧が相当に降下しているときに電源オフ状態になっても、電源キーが操作されたときは、すぐに電源オン状態にすることができる。
【００１７】
また、本発明の印刷装置において、所定値として、駆動源である電池の逆装填での使用を検出するための電圧値を使用すれば、駆動源である電池が逆装填されていると、電源オフ状態にある場合に、電源キーが操作されても、電源オン状態にすることができないので、駆動源である電池の逆装填での使用を防止できる。
【００１８】
また、本発明の印刷装置において、所定値として、駆動源である電池による正常な印刷品質を確保するための電圧値を使用すれば、電源オン状態での印刷であれば、電池の電圧値が要因とする印刷品質の劣化を防止できる。
【００１９】
また、本発明の印刷装置において、駆動源である電池がニッケル水素充電池であれば、ニッケル水素充電池の電圧が自然に回復するのにかなりの長時間を要するので、上述した各効果が大きく発揮される。
【図面の簡単な説明】
【００２０】
【図１】本発明の一実施形態に係る印刷装置を表した斜視図である。
【図２】同印刷装置のブロック図である。
【図３】同印刷装置のフローチャート図である。
【図４】同印刷装置のフローチャート図である。
【図５】同印刷装置のフローチャート図である。
【発明を実施するための形態】
【００２１】
［１．本発明の構成］
図１及び図２を用いて、本発明の一実施形態に係る印刷装置１の構成について説明する。本実施形態に係る印刷装置１は、所謂卓上型のラベルプリンターである。
【００２２】
印刷装置１の制御系の中核をなすプロセッサ１４は、中央処理装置（ＣＰＵ）１６と、パターンデータメモリ（以下、ＣＧＲＯＭという）１８と、ＥＥＰＲＯＭ２０と、ＲＯＭ２２と、ＲＡＭ２４と、入出力インターフェース２６と、これらを接続するバス２８とから構成されている。
【００２３】
そして、入出力インターフェース２６には、キーボード６と、ＬＣＤ１０に表示データを出力するための表示用ＲＡＭを備えたディスプレイコントローラ（以下、ＬＣＤＣという）３０と、サーマルヘッド１２を駆動するための駆動回路３２と、印字用テープ、インクリボン、及び両面テープ等を巻装した複数のスプール及び各種ローラ等を回転させることにより印字用テープを外部に送り出すテープ送りモータ３４を駆動するための駆動回路３６と、警告用ブザー３８を駆動するための駆動回路４０と、ワードプロセッサ等の外部装置ＷＰから送出される文書データを受信する入力手段としてのインターフェースボード（以下、Ｉ／Ｆボードという）４２とが夫々接続されている。印字機構ＰＭは、サーマルヘッド１２、駆動回路３２、テープ送りモータ３４、及び駆動回路３６から構成される。
【００２４】
キーボード６には、電源キー６Ａや印刷キー６Ｂ等、各種の操作キーが設けられている。
【００２５】
又、各部に電力を供給する電池４４が備えられ、その電池４４の電圧値を検知する電池電圧検出回路４６も同時に設けられている。印刷装置１の電池収納部は電池４４を着脱可能に収納する。
【００２６】
ＣＧＲＯＭ１８には、夫々のキャラクタを表示するためのドットパターンデータが、夫々のコードデータに対応して格納されている。ＥＥＰＲＯＭ２０には、夫々のキャラクタを印字するための各キャラクタの輪郭線を規定するアウトラインデータが、ゴシック系書体、明朝体系書体等の書体毎に分類されて、夫々のコードデータに対応して格納されている。
【００２７】
また、ＲＡＭ２４は、キーボード６から入力された文字や記号などのコードデータ、及び設定文字サイズデータ、書体データを規定する文字修飾データ、縦・横の印字方向等の種々の印字書式情報を文書データとして格納する文書メモリｔｍ、イメージ展開された複数の文字や記号のドットパターンデータを格納する印字バッファｐｂ、各制御処理中に使用する作業バッファｗｂ、各制御処理に必要なフラグデータを格納するフラグメモリｆｍ、バッテリエンプティか否かを示すバッテリエンプティフラグｂｅｆ等の各記憶領域に分けられている。
【００２８】
そして、ＲＯＭ２２には、キーボード６から入力された文字や記号等の各キャラクタのコードデータに対応させてＬＣＤＣ３０を制御する表示駆動制御プログラム、文書メモリｔｍ内の各コードデータに対応するアウトラインデータを印字書式情報に従って印字用ドットパターンデータに変換処理して印字バッファｐｂにイメージ展開するイメージ展開処理制御プログラム、印字バッファｐｂのデータを順次読み出してサーマルヘッド１２やテープ送りモータ３４を駆動する印字駆動制御プログラム、テープ印字制御プログラム、及び、後述する本願特有のプログラム等が格納されている。
【００２９】
［２．本発明の動作］
以上のように構成された印刷装置１において、プロセッサ１４内のＣＰＵ１６により行われる電池４４の電圧値変化等に基づく制御処理について、図３及び図４に表されたフローチャートに基づき説明する。
【００３０】
電源オフ状態にある印刷装置１では、図３に表されたように、先ず、Ｓ１１において、ＣＰＵ１６は、電源キー６Ａが入力されたか否かを判定する。この判定処理は、キーボード６からの入力信号に基づいて行われる。ここで、電源キー６Ａが入力されていない場合（Ｓ１１：ＮＯ）には、ＣＰＵ１６は、電源オフ状態でこのＳ１１の処理を繰り返す。一方、電源キー６Ａが入力された場合（Ｓ１１：ＹＥＳ）には、ＣＰＵ１６は、Ｓ１２に進む。
【００３１】
Ｓ１２では、印刷装置１が電源オフ状態にあるままで、ＣＰＵ１６は、電池４４の電圧値が６．９Ｖ以上であるか否かを判定する。この判定処理では、電池４４の電圧値は、電池電圧検出回路４６によって取得される。ここで、電池４４の電圧値が６．９Ｖ未満である場合（Ｓ１２：ＮＯ）には、ＣＰＵ１６は、印刷装置１が電源オフ状態にあるままで、上記Ｓ１１以降の処理を繰り返す。一方、電池４４の電圧値が６．９Ｖ以上である場合（Ｓ１２：ＹＥＳ）には、ＣＰＵ１６は、Ｓ１３に進む。このときから、印刷装置１は電源オン状態になる。
電源オフ状態では、ＣＰＵ１６は低消費電力モードにあってＣＰＵ１６自体の電力消費量が少なく抑えられていると共にＲＯＭ２２、ＲＡＭ２４など一部の限られたデバイスにしか電力は供給されておらず、印刷装置１全体での電力消費量も少ない。一方、電源オン状態では、ＣＰＵ１６は高消費電力モードにあってＣＰＵ１６自体の電力消費量が多い。それと共に、各種デバイスには直ぐに動けるように電力が供給されており、印刷装置１全体での電力消費量も多い。
【００３２】
Ｓ１３では、ＣＰＵ１６は、印刷装置１をスタンバイさせる。その後、ＣＰＵ１６は、Ｓ１４に進む。
【００３３】
Ｓ１４では、ＣＰＵ１６は、テキスト入力されたか否かを判定する。この判定処理は、キーボード６やＩ／Ｆボード４２からの入力信号に基づいて行われる。ここで、テキスト入力された場合（Ｓ１４：ＹＥＳ）には、ＣＰＵ１６は、Ｓ１５に進む。
【００３４】
Ｓ１５では、ＣＰＵ１６は、テキスト変更の処理を行う。この処理は、ＲＡＭ２４上で行われる。その後、ＣＰＵ１６は、上記Ｓ１４に戻る。一方、上記Ｓ１４において、テキスト入力されていない場合（Ｓ１４：ＮＯ）には、ＣＰＵ１６は、Ｓ１６に進む。
【００３５】
Ｓ１６では、ＣＰＵ１６は、印刷キー６Ｂが入力されたか否かを判定する。この判定処理は、キーボード６からの入力信号に基づいて行われる。ここで、印刷キー６Ｂが入力された場合（Ｓ１６：ＹＥＳ）には、ＣＰＵ１６は、Ｓ１７に進む。
【００３６】
Ｓ１７では、ＣＰＵ１６は、印刷の処理を行う。この処理は、印字機構ＰＭ等で行われる。その後は、ＣＰＵ１６は、上記Ｓ１４に戻る。一方、上記Ｓ１４においてテキスト入力されていない場合（Ｓ１４：ＮＯ）、且つ、上記Ｓ１６において印刷キー６Ｂが入力されていない場合（Ｓ１６：ＮＯ）には、ＣＰＵ１６は、Ｓ１８に進む。
【００３７】
Ｓ１８では、電源キー６Ａが入力されたか否かを判定する。この判定処理は、キーボード６からの入力信号に基づいて行われる。ここで、電源キー６Ａが入力されていない場合（Ｓ１８：ＮＯ）には、ＣＰＵ１６は、上記Ｓ１４以降の処理を繰り返す。一方、電源キー６Ａが入力された場合（Ｓ１８：ＹＥＳ）には、ＣＰＵ１６は、Ｓ１９に進む。
【００３８】
Ｓ１９では、ＣＰＵ１６は、電源オフ処理を行う。この処理では、先ず、図４のＳ２１において、ＣＰＵ１６は、電池４４の電圧値が６．９Ｖ以上であるか否かを判定する。この判定処理では、電池４４の電圧値は、電池電圧検出回路４６によって取得される。ここで、電池４４の電圧値が６．９Ｖ以上である場合（Ｓ２１：ＹＥＳ）には、ＣＰＵ１６は、Ｓ２９に進む。Ｓ２９では、ＣＰＵ１６は、電源停止の処理を行う。電源停止の処理を行うことで、ＬＣＤ１０やＬＣＤＣ３０への電力供給は断たれるのでＬＣＤ１０の表示は敢えて表示オフの制御をすることなくオフとなる。また、キーボード６への電力供給も断たれるので電源キー６Ａ以外はキーが効かなくなり、敢えてキーロックの制御をしなくともキーロックと同様の状態になる。ＣＰＵ１６は、電源停止の処理を行う。印刷装置１は、電源オン状態から電源オフ状態になる。一方、電池４４の電圧値が６．９Ｖ未満である場合（Ｓ２１：ＮＯ）には、ＣＰＵ１６は、Ｓ２２に進む。
【００３９】
Ｓ２２では、ＣＰＵ１６は、上記Ｓ１７の印刷直後から１０分以上経過したか否かを判定する。この判定処理では、ＣＰＵ１６内蔵の計時機構又はＲＯＭ２２に記憶された計時プログラム等によって時間が計測される。ここで、上記Ｓ１７の印刷直後から１０分以上経過した場合（Ｓ２１：ＹＥＳ）には、ＣＰＵ１６は、上記Ｓ２９に進む。上記Ｓ２９では、ＣＰＵ１６は、電源停止の処理を行う。このとき、印刷装置１は、電源オン状態から電源オフ状態になる。一方、上記Ｓ１７の印刷直後から１０分以上経過していない場合（Ｓ２２：ＮＯ）には、ＣＰＵ１６は、Ｓ２３に進む。
【００４０】
Ｓ２３では、ＣＰＵ１６は、ＬＣＤ１０の表示をオフにするとともに、キーボード６の操作キーを電源キー６Ａを除いてキーロックする。これにより、印刷装置１は、電源オン状態から見かけ上の電源オフ状態になる。その後、ＣＰＵ１６は、Ｓ２４に進む。
【００４１】
Ｓ２４では、ＣＰＵ１６は、電池４４の電圧値が６．９Ｖ以上であるか否かを判定する。この判定処理では、電池４４の電圧値は、電池電圧検出回路４６によって取得される。ここで、電池４４の電圧値が６．９Ｖ以上である場合（Ｓ２４：ＹＥＳ）には、ＣＰＵ１６は、上記Ｓ２９に進む。上記Ｓ２９では、ＣＰＵ１６は、電源停止の処理を行う。このとき、印刷装置１は、見かけ上の電源オフ状態から本当の電源オフ状態になる。一方、電池４４の電圧値が６．９Ｖ未満である場合（Ｓ２４：ＮＯ）には、ＣＰＵ１６は、Ｓ２５に進む。
【００４２】
Ｓ２５では、ＣＰＵ１６は、上記Ｓ１７の印刷直後から１０分以上経過したか否かを判定する。この判定処理では、ＣＰＵ１６内蔵の計時機構又はＲＯＭ２２に記憶された計時プログラム等によって時間が計測される。ここで、上記Ｓ１７の印刷直後から１０分以上経過した場合（Ｓ２５：ＹＥＳ）には、ＣＰＵ１６は、上記Ｓ２９に進む。上記Ｓ２９では、ＣＰＵ１６は、電源停止の処理を行う。このとき、印刷装置１は、見かけ上の電源オフ状態から本当の電源オフ状態になる。一方、上記Ｓ１７の印刷直後から１０分以上経過していない場合（Ｓ２５：ＮＯ）には、ＣＰＵ１６は、Ｓ２６に進む。
【００４３】
Ｓ２６では、ＣＰＵ１６は、電池４４が印刷装置１から抜かれたか否かを判定する。この判定処理は、電池電圧検出回路４６からの検出信号に基づいて行われる。ここで、電池４４が印刷装置１から抜かれた場合（Ｓ２６：ＹＥＳ）には、ＣＰＵ１６は、上記Ｓ２９に進む。上記Ｓ２９では、ＣＰＵ１６は、電源停止の処理を行う。このとき、印刷装置１は、見かけ上の電源オフ状態から本当の電源オフ状態になる。一方、電池４４が印刷装置１から抜かれていない場合（Ｓ２６：ＮＯ）には、ＣＰＵ１６は、Ｓ２７に進む。尚、電池４４を抜かれたとしても、ＣＰＵ１６は基板上のコンデンサなどに蓄えられた電力により暫くは動作可能である。或いは、ＲＡＭ２４の記憶保持用に電池４４とは別に電池を備えて、電池４４が抜かれたときのみ、その電池から電力供給させても良い。
【００４４】
Ｓ２７では、ＣＰＵ１６は、電源キー６Ａが入力されたか否かを判定する。この判定処理は、キーボード６からの入力信号に基づいて行われる。ここで、電源キー６Ａが入力されていない場合（Ｓ２７：ＮＯ）には、ＣＰＵ１６は、上記Ｓ２４以降の処理を繰り返す。一方、電源キー６Ａが入力された場合（Ｓ２７：ＹＥＳ）には、ＣＰＵ１６は、Ｓ２８に進む。
【００４５】
Ｓ２８では、ＣＰＵ１６は、ＬＣＤ１０の表示をオンにするとともに、キーボード６のキーロックを解除する。これにより、印刷装置１は、見かけ上の電源オフ状態から電源オン状態になる。その後、ＣＰＵ１６は、上記図３の上記Ｓ１３以降の処理を繰り返す。一方、ＣＰＵ１６は、上記Ｓ２９の実行によって印刷装置１が本当の電源オフ状態になった後、上記図３の上記Ｓ１１以降の処理を繰り返す。
【００４６】
［３．まとめ］
すなわち、本実施形態に係る印刷装置１は、電池４４を駆動源とする印刷をプロセッサ１４のＣＰＵ１６が制御するとともに（Ｓ１７）、電源オフ状態にある場合に電源キー６Ａが操作されても（Ｓ１１：ＹＥＳ）、駆動源である電池４４の電圧値が所定値である６．９Ｖ未満のとき（Ｓ１２：ＮＯ）には、プロセッサ１４のＣＰＵ１６が電源オフ状態を維持するものである。
【００４７】
もっとも、プロセッサ１４のＣＰＵ１６は電源オン状態にある場合に電源キー６Ａが操作されたとき（Ｓ１８：ＹＥＳ）は、（１）駆動源である電池４４の電圧値が所定値である６．９Ｖ以上にある場合（Ｓ２１：ＹＥＳ）に、電源オフ状態に移行させ（Ｓ２９）、（２）駆動源である電池４４の電圧値が所定値である６．９Ｖ未満であれば（Ｓ２１：ＮＯ）、ＬＣＤ１０の表示をオフさせるとともに、電源キー６Ａ以外のキーボード６の操作キーをキーロックさせる（Ｓ２３）。
【００４８】
その一方で、プロセッサ１４のＣＰＵ１６は、ＬＣＤ１０の表示をオフされるとともに、電源キー６Ａ以外のキーボード６の操作キーをキーロックさせた（Ｓ２３）以降は、（Ａ）駆動源である電池４４の電圧値が所定値である６．９Ｖ以上に回復していれば（Ｓ２４：ＹＥＳ）、電源オフ状態に移行させ（Ｓ２９）、（Ｂ）駆動源である電池４４の電圧値が所定値である６．９Ｖ未満であり（Ｓ２４：ＮＯ）、且つ、電源キー６Ａが操作されたとき（Ｓ２７：ＹＥＳ）は、ＬＣＤ１０の表示をオンさせるとともに、キーボード６の操作キーのキーロックを解除する（Ｓ２８）。
【００４９】
つまり、本実施形態に係る印刷装置１では、電源オン状態にある場合に電源キー６Ａが操作されたとき（Ｓ１８：ＹＥＳ）に、（２）駆動源である電池４４の電圧値が所定値である６．９Ｖ未満であれば（Ｓ２１：ＮＯ）、ＬＣＤ１０の表示がオフされるとともに、電源キー６Ａ以外のキーボード６の操作キーがロックされて（Ｓ２３）、外見上の電源オフ状態にある。しかしながら、その後において、（Ｂ）駆動源である電池４４の電圧値が所定値である６．９Ｖ未満であり（Ｓ２４：ＮＯ）、且つ、電源キー６Ａが操作されたとき（Ｓ２７：ＹＥＳ）は、ＬＣＤ１０の表示がオンされるとともに、キーボード６の操作キーのキーロックが解除されて（Ｓ２８）、外見上の電源オフ状態から電源オン状態になる。
【００５０】
従って、本実施形態に係る印刷装置１では、駆動源である電池４４の電圧が相当に降下しているとき（Ｓ２１：ＮＯ）に外見上の電源オフ状態になっても（Ｓ２３）、電源キー６Ａが操作されたとき（Ｓ２７：ＹＥＳ）は、すぐに電源オン状態にすることができる（Ｓ２８）。
【００５１】
また、本実施形態に係る印刷装置１では、プロセッサ１４のＣＰＵ１６は、電源オン状態にある場合に電源キー６Ａが操作されたとき（Ｓ１８：ＹＥＳ）、上記Ｓ１７の印刷直後から所定時間である１０分が経過していれば（Ｓ２２：ＹＥＳ）、電源オフ状態に移行させる（Ｓ２９）。もっとも、上記Ｓ１７の印刷直後から所定時間である１０分が経過していることから（Ｓ２２：ＹＥＳ）、駆動源である電池４４の電圧値は所定値である６．９Ｖ付近にまで回復していることが見込まれる。従って、本実施形態に係る印刷装置１では、駆動源である電池４４の電圧値がいかなる値であっても印刷直後から所定時間が経過してさえいれば電源オフ状態に移行し、電源キー６Ａが操作されたとき（Ｓ１１：ＹＥＳ）は、すぐに電源オン状態にすることができる（Ｓ１２：ＹＥＳ）。
【００５２】
また、本実施形態に係る印刷装置１では、プロセッサ１４のＣＰＵ１６は、電源オン状態にある場合に電源キー６Ａが操作されて（Ｓ１８：ＹＥＳ）、ＬＣＤ１０の表示がオフされるとともに、電源キー６Ａ以外のキーボード６の操作キーがロックされた（Ｓ２３）以降に、駆動源である電池４４の電圧値が所定値である６．９Ｖ未満であるとき（Ｓ２４：ＮＯ）でも、上記Ｓ１７の印刷直後から所定時間である１０分が経過していれば（Ｓ２５：ＹＥＳ）、電源オフ状態に移行させる（Ｓ２９）。もっとも、上記Ｓ１７の印刷直後から所定時間である１０分が経過していることから（Ｓ２５：ＹＥＳ）、駆動源である電池４４の電圧値は所定値である６．９Ｖ付近にまで回復していることが見込まれる。従って、本実施形態に係る印刷装置１では、駆動源である電池４４の電圧が相当に降下しているとき（Ｓ２４：ＮＯ）に電源オフ状態になっても（Ｓ２９）、電源キー６Ａが操作されたとき（Ｓ１１：ＹＥＳ）は、すぐに電源オン状態にすることができる（Ｓ１２：ＹＥＳ）。
【００５３】
また、本実施形態に係る印刷装置１において、所定値として、上記Ｓ１２、上記Ｓ２１、及び上記Ｓ２４で使用される６．９Ｖに代えて、駆動源である電池４４の逆装填での使用を検出するための電圧値を使用してもよい。この場合には、駆動源である電池４４が逆装填されていると、電源オフ状態に、電源キー６Ａが操作されても、電源オン状態にすることができないので（Ｓ１２：ＮＯ）、駆動源である電池４４の逆装填での使用を防止できる。
【００５４】
また、本実施形態に係る印刷装置１においては、上記Ｓ１２、上記Ｓ２１、及び上記Ｓ２４で使用される所定値として、駆動源である電池４４による正常な印刷品質を確保するための電圧値である６．９Ｖを使用しているので、電源オン状態での印刷（Ｓ１７）であれば、電池４４の電圧値の低下を要因とする印刷品質の劣化を防止できる。
【００５５】
また、本実施形態に係る印刷装置１において、駆動源である電池４４がニッケル水素充電池であれば、ニッケル水素充電池の電圧が自然に回復するのにかなりの長時間を要するので、上述した各効果が大きく発揮される。
【００５６】
［４．その他］
尚、本発明は上記実施形態に限定されるものでなく、その趣旨を逸脱しない範囲で様々な変更が可能である。
例えば、本実施形態に係る印刷装置１では、ディスプレイは、ＬＣＤ１０のような液晶ディスプレイでなくともよい。Ｓ２１・Ｓ２２・Ｓ２３の処理順は入れ替えても良い。また、図５に表したように、Ｓ２１とＳ２２は無くても良い。
Ｓ２４・Ｓ２５・Ｓ２６の処理順は入れ替えても良い。
Ｓ２９の電源停止処理をすることでＬＣＤ表示はオフし、電源キー６Ａ以外のキーは効かなくなるが、電源停止処理とは別にＬＣＤ表示をオフにする制御をしたり、電源キー６Ａ以外のキーをロックする制御をしたりすると共に電源停止処理を行っても良い。
【００５７】
また、電源キー６Ａは、電源オンキーと電源オフキーとに個別に設けられてもよい。また、所定時間は電池電圧の回復が見込まれる時間であれば１０分に限らない。
【符号の説明】
【００５８】
１    印刷装置
６    キーボード
６Ａ  電源キー
１０    液晶ディスプレイ
１４    プロセッサ
１６    ＣＰＵ
４４    電池
【図１】
0005987421.tif 000002
【図２】
0005987421.tif 000003
【図３】
0005987421.tif 000004
【図４】
0005987421.tif 000005
【図５】
0005987421.tif 000006